Podtech/llm-jp-corpus-v4-ja_patent huggingface dataset:
(57)【要約】      （修正有）【課題】水道メーター検針作業における検針作業の自動化と漏水検知とを連係し、検針業務及び漏水検知業務の合理化を図るリークチェッカーを提供する。【解決手段】リークチェッカー３に超小型カメラ４を内蔵し水道使用量数字２を写真撮影しその情報と同時に漏水検知情報をハンディーターミナルに送信し情報を処理することによって解決する。【選択図】図１
0003186706.tif 000002
【実用新案登録請求の範囲】
【請求項１】
超小型カメラを底面に内蔵したリークチェッカー
【請求項２】
請求項１記載のカメラ付リークチェッカーから写真情報及び漏水情報を無線でハンディーターミナルに送信する機能
【請求項３】
請求項２の写真情報、漏水情報により客先を確定する機能
【考案の詳細な説明】
【産業上の利用分野】
【０００１】本考案は、水道メーターの検針業務に係るものであり、現在は検針員が水道メータのカウンター数字を確認し手入力でハンディーターミナルに入力しているが、同時に行う漏水検知用リークチェッカーに超小型カメラを内蔵し漏水検知スタートと同時に自動的にカウンター数字を写真に撮り、その情報をハンディーターミナルに送信し画像認識技術により正確・迅速に検針業務が行えるように考案したものである。
【０００２】さらに漏水検知情報と客先の特定は検針足順によるハンディーターミナルの情報をもとに後で照合しているため照合に時間がかかり又不確定の所は技術員が後日現地調査の要があるなど不合理であったものを瞬時に客先の特定ができるよう考案したものである。
【背景技術】
【０００３】水道メータ検針業務は検針員がメータカウンター数字を手入力でハンディーターミナルに打ちこみしていた。【０００４】同時に近年は漏水検知用リークチェッカーを水道メーター盤上に置き漏水の検知作業もしている。【０００５】しかし漏水検知情報と客先の特定は検針足順によるハンディーターミナルの情報をもとに後で照合しているため不確定の所は技術員が再度現地調査をしている。【０００６】水道メータ検針作業は検針員が手作業で行っているためヒューマンエラーが起き易かった。
【考案が解決しようとする課題】
【０００７】本考案は、水道メーターの検針は検針員が水道メータのカウンター数字を確認し手入力でハンディーターミナルに入力しているが人間が行う作業のためヒューマンエラーが起きやすく、その解決の為、同時に行う漏水検知用リークチェッカーに超小型カメラを内蔵し漏水検知スタートと同時に自動的にカウンター数字を写真に撮り、その情報をハンディーターミナルに送信し画像認識技術により正確・迅速に検針業務が行えるものである。
【０００８】さらに、検針情報と漏水情報が同時にハンディーターミナルに入力される為客先が瞬時に特定され再度の訪問が不要になり合理化される。
【課題を解決するための手段】
【０００９】本考案は、検針作業を自動化する為リークチェッカーに超小型カメラを内蔵し漏水検知スタートと同時に自動的に水道使用量カウンター数字を写真に撮り、その情報をハンディーターミナルに送信し画像認識技術により正確・迅速に検針業務が行えるものである。
【００１０】検針情報と漏水情報が同時にハンディーターミナルに入力される為客先が瞬時に特定され業務の合理化が図れる。
【考案を実施するための形態】
【００１１】以下、本考案の実施の形態を図面に従って説明する。
図１、図２は水道メーターにリークチェッカーをセットした図である。
このようにメーターを写真に撮れるようメーターの下部にリークチェッカーを置く。
【００１２】検針員はリークチェッカーのスタートボタンをオンにする。
【００１３】漏水検知動作スタートと同時に自動的に水道メーターのカウンター数字を写真に撮る。
【００１４】瞬時に写真情報、漏水情報はハンディーターミナルに送信され情報は処理される。
【考案の効果】
【００１５】以上述べたように、本考案は、水道メーターの検針は検針員が水道メータのカウンター数字を確認し手入力でハンディーターミナルに入力しているが人間が行う作業のためヒューマンエラーが起きやすく、その解決の為、同時に行う漏水検知用リークチェッカーに超小型カメラを内蔵し漏水検知スタートと同時に自動的にカウンター数字を写真に撮り、その情報をハンディーターミナルに送信し画像認識技術により正確・迅速に検針業務が行えることを提供する。
【図面の簡単な説明】
【００１６】
【図１】水道メーターにリークチェッカーをセットした図である。このように水道使用量メーターを写真に撮れるようメーター盤上の下部にリークチェッカーを置く。
【００１７】
【図２】図２はリークチェッカーからハンディーターミナルへ写真情報、漏水情報が送信される図である。
【００１８】
【図３】図３は水道メーターにリークチェッカーをセットした写真である。
【符号の説明】
【００１９】１・・・水道メーター
２・・・水道使用量カウンター数字
３・・・リークチェッカー（漏水検知機）
４・・・超小型内蔵カメラ
５・・・ハンディーターミナル
【図１】
0003186706.tif 000003
【図２】
0003186706.tif 000004
【図３】
0003186706.tif 000005
【手続補正書】
【提出日】平成25年8月5日(2013.8.5)
【手続補正１】
【補正対象書類名】実用新案登録請求の範囲
【補正対象項目名】全文
【補正方法】変更
【補正の内容】
【実用新案登録請求の範囲】
【請求項１】
超小型カメラを底面に内蔵したリークチェッカー
【請求項２】
写真情報及び漏水情報を無線でハンディーターミナルに送信可能な請求項１記載のリークチェッカー
【請求項３】
請求項２に記載のリークチェッカーから送信された写真情報及び漏水情報により客先を確定するハンディターミナル
(57)【要約】      （修正有）【課題】漏水判断の精度を上げ客先を特定する作業を自動化する事により漏水検知業務の合理化を目的としたリークチェッカーとリークチェッカーを利用した振動音情報解析装置を提供する。【解決手段】振動音捕捉器と、捕捉した振動音情報を記憶するためのＳＤメモリードライブ回路とを備えるリークチェッカーと、リークチェッカーにより捕捉された振動音情報を読み出すＳＤドライブ回路と、該読みだした振動音の波形を表示するＬＣＤモニターと、振動音再生器とを備え、さらに、メーター情報表示ドライブ回路と、現場地図情報ドライブ回路とを備えており、ＬＣＤモニターには、メーター情報と地図情報とが重ね合わせて表示されることを特徴とする振動音情報解析装置。【選択図】図１
0003186707.tif 000002
【実用新案登録請求の範囲】
【請求項１】
リークチェッカーに録音機能を持たせたもの
【請求項２】
請求項１のリークチェッカーからの情報により、生の音を聞き振動波形をモニター表示することができるシステム。
【請求項３】
請求項１のリークチェッカーからの情報により、その測定現場の箇所を地図上にモニターすることができるシステム。
【考案の詳細な説明】
【産業上の利用分野】
【０００１】本考案は、リークチェッカー（時間積分式の携帯型漏水発見装置）に録音機能をもたせ波形表示を見ながら生の振動音を聞くことにより漏水有無の判断の精度を上げ当測定情報を自動的にハンディ―ターミナルに伝送することにより客先の特定ができるよう考案したものである。
【背景技術】
【０００２】リークチェッカーは携帯型で、水道メーター検針員が数秒間、水道メーター上部のガラスの上に、リークチェッカーを接触させるだけで、水道配管の振動音測定値の数値記憶ができ、後日、記憶された測定数値から、ある一定値以上の値を示す箇所を漏水の可能性がある箇所と判断し、このデータをもとに漏水調査対象管路を絞込むことができ、漏水探知の専門技術者が現場を調査する必要がないため経費節減となっていた。
【発明が解決しようとする課題】
【０００３】このようなリークチェッカーでは、水道メーター検針時に真の漏水振動音以外に、自動車通過音、工事中の重機等の音、ファンモータの音、犬の鳴き声等が時間積分値データに重畳され、演算結果の数値が記憶されるため、後日、記憶された測定値をもとに、漏水調査対象管路を絞り込もうとしても、生の振動波形・音が再生モニターできず、漏水の疑いがある箇所を精度よく選別することが不可能であった。
【０００４】また、場所の特定は記録されたデータ番号・測定時間等の相対的でシリアルな情報のため、測定データと現場地図とのマッチング作業に相当の時間が必要であった。
【０００５】このような課題を有しているため、現地調査場所の特定に時間を費やされ、現地調査が不必要な箇所も専門技術者が調査を強いられ、効率化のための障害となっていた。
【課題を解決するための手段】
【０００６】上記課題を解決するために本考案を適用するリークチェッカーの実施例を第１図及び第３図により説明する。
【０００７】第１図に示すように、水道メーターのガラス面に接触させたリークチェッカーにより振動音が捕捉され、シグナルコンデショナーで増幅・濾波・標本化・Ａ／Ｄ変換されてデジタル信号となる。
【０００８】このデジタル信号は従来どおり、時間積分式漏水判定演算回路で設定された振動音レベル数値を越える時間積分率が演算され、演算結果数値表示回路で数値表示され、ＳＤメモリードライブ回路を通して、ＳＤメモリーカードに記憶される。
【０００９】また、シグナルコンデショナーのデジタル信号はＳＤメモリードライブ回路へ送られ、内蔵されたＳＤメモリーカードに記憶される。
【００１０】一方、リークチェッカーに内蔵しているＳＤメモリーに記憶された当該メーターの振動音情報は、当該メーターの検針作業を行うＩＣタグリーダーを内蔵した、検針用ハンディターミナルへ、自動的に当該水道メーター情報の箇所に格納される。
【００１１】図３に示すように、後で、事務所の振動音情報解析装置で、デジタル信号の形でＳＤドライブ回路で再生され一方はＬＣＤコントローラーとＤ／Ａ変換回路とへ送られ、振動音波形表示器と振動音音聴ヘッドホーン等で、視覚・聴覚モニターされる。
【００１２】他方は、メーター情報検索・分析回路とタグメーター情報を利用したメーター情報表示ドライブ回路へ送られ、現場地図情報と共に、現場地図モニター例のように、漏水の疑いのある箇所に自動的にマークを入れ、同時に積分値を併記することを特徴としている。
【発明の効果】
【００１３】従来のリークチェッカーは振動音捕捉器で捕捉した振動音を、ある一定時間内に設定した数値レベルを超える時間の積分値を％で演算した値で、漏水の可能性を判断し、後日、その地点を専門技術者が調査し、ある程度、漏水管路の絞込みが実施でき、効率的な方法であった。
【００１４】しかし、この方法では現場の生の振動音がモニターできず、真の漏水振動音以外の振動音（自動車通過音、工事中の重機等の音、ファンモータの音、犬の鳴き声等）かどうかの仕分けが困難であった。
【００１５】また、時間積分率値の高い現場の場所の特定は記録されたデータ番号・測定時間等の相対的でシリアルな情報のため、測定データとその現場メーターとのマッチング作業に多くの時間が必要であった。
【００１６】録音機能付リークチェッカーはＳＤメモリーを装置に内蔵させ、現場の生の漏水振動音を記憶し、また、ＩＣタグにより取得したメーター情報（メーター番号等）を記憶することにより、後に事務所等で、振動音情報解析・表示・記憶装置で捕捉した振動音を再生し、音聴・音波形モニターを実施し、更に、あらかじめ内蔵させた地図情報に、自動的にメーター情報（メーター番号等）より取得した場所の情報（住所等）を重ね合わせ、時間積分率測定値との総合判定により、著しく現場での漏水調査箇所の特定作業が軽減され、一段と効率を上げることを提供する。
【図面の簡単な説明】
【００１７】
【図１】図１は本考案を適用する録音機能付リークチェッカーの実施例のブロック図
【００１８】
【図２】図２は従来型のリークチェッカーの原理ブロック図
【００１９】
【図３】図３は本考案を適用する振動音情報解析・表示・記憶装置のブロック図である。
【００２０】
【図１】
0003186707.tif 000003
【図２】
0003186707.tif 000004
【図３】
0003186707.tif 000005
【手続補正書】
【提出日】平成25年8月2日(2013.8.2)
【手続補正１】
【補正対象書類名】実用新案登録請求の範囲
【補正対象項目名】全文
【補正方法】変更
【補正の内容】
【実用新案登録請求の範囲】
【請求項１】
振動音捕捉器と、捕捉した振動音情報を記憶するためのＳＤメモリ―ドライブ回路とを備えるリークチェッカー
【請求項２】
請求項１に記載のリークチェッカーにより捕捉された振動音情報を読み出すＳＤドライブ回路と、該読みだした振動音の波形を表示するＬＣＤモニターと、振動音再生器とを備える振動音情報解析装置
【請求項３】
メーター情報表示ドライブ回路と、現場地図情報ドライブ回路とをさらに備えており、前記ＬＣＤモニターには、メーター情報と地図情報とが重ね合わせて表示されることを特徴とする請求項２に記載の振動音情報解析装置
(57)【要約】      （修正有）【課題】絵や写真等の飾り物を飾る場合に、湾曲にして遠近感が感じられ、かつ壁等に掲げる時に便利な壁掛け具を備えた湾曲飾りが可能な額縁を提供する。【解決手段】絵や写真等の飾り物１の左右の側端を挿入する挿入部分２−２，４−２を有した左右一対の縦枠材２，４と、縦枠材２，４にそれぞれ取り付けられた横部材３，５と、横部材３，５同士を重ねた状態で、左右の縦枠材２，４間の寸法を調整可能に固定する固定枠６と、固定枠６に取り付けられ、下部を持ち手部分として利用されるとともにフック穴を最上部に有する壁掛け具８と、を備える。縦枠材２，４間の寸法が調整できるので、飾り物１の横寸法を測り、それより少し短めにセットし固定すれば湾曲状態になる。壁掛け具８により下部の持ち手部分を持ってフック等に掲げることができる。【選択図】図３
0003186732.tif 000002
【実用新案登録請求の範囲】
【請求項１】
絵や写真等の飾り物の左右の側端を挿入する部分を有した縦枠材とそれらに取り付けた横部材同しを重ねて固定する固定枠からなり、左右の縦枠材間の寸法を調整して固定することができ、かつ最上部にフック穴を設け下部を掲げる時の持ち手部分として利用する壁掛け具を、固定枠に取り付けるようにしたことを特徴とする額縁。                                                                                                                                                                                            
【考案の詳細な説明】
【技術分野】
【０００１】
本考案は、絵や写真等の飾り物を、湾曲に飾ることができる額縁に関する。
【背景技術】
【０００２】
従来の額縁は、四方枠と着脱可能な背面板と正面ガラスの間に絵や写真等の飾り物を平面状に設置し飾られている。
【先行技術文献】
【特許文献】
【０００３】
【特許文献１】特開２００７-３１２８０８号公報
【特許文献２】特開２００４-１０５５２５号公報
【特許文献３】特開２００２-３２０５３８号公報
【考案の概要】
【考案が解決しようとする課題】
【０００４】
本考案は、通常平面状に飾られている絵や写真等の飾り物を湾曲に飾ることができ、かつ壁等に掲げるのに便利な壁掛け具を備えた額縁を提供するものである。
【課題を解決するための手段】
【０００５】
本考案は、絵や写真等の飾り物を、保持する左右の縦枠材にそれぞれ横部材を取り付け左右に可動するようにし、前記飾り物等の横寸法を少し短めにセットすれば湾曲の状態で飾ることができ、かつ壁等に掲げる時のフック穴と持ち手部分を有した壁掛け具を備えたものである。
【考案の効果】
【０００６】
本考案は、絵や写真等の飾り物を通常の額縁で飾った状態よりも湾曲にする事により、左右が中央部分より目線が遠くなるので平面で見るより遠近感が感じられる。又、全体的にも厚みがあり立体的にも感じられ、壁掛け具を設けたことにより掲げやすくなる。
【図面の簡単な説明】
【０００７】
【図１】図１は本考案の使用状態を示す正面図である。
【図２】図２は本考案の使用状態を示す側面図である。
【図３】図３は本考案の正面図である。
【図４】図４は本考案のＡ−Ａ断面図である。
【図５】図５は本考案のＢ−Ｂ断面図である。
【考案を実施するための形態】
【０００８】
本考案を実施するために最良の形態の例として、以下のような実施例を示す。
【実施例１】
【０００９】
図１，図２は、本考案の使用状態を示した図である。
【００１０】
図３，図４に示されるように、絵や写真等の飾り物の側端を挿入する挿入部分２−２を設けた縦枠材２に横材３を縦枠材２の中央より上方に取り付け、同じく前記飾り物の側端を挿入する挿入部分４−２を設けた縦枠材４に横材５を縦枠材４の中央より上方に取り付け、それぞれ横材３と横材５を固定枠６に挿し入れスライドすることにより縦枠材２と縦枠材４の間隔が調整できるようになっている。
【００１１】
図５に示されるように横材３と横材５を、固定枠６取り付けられる固定ネジ７により締め付けることで、縦枠材２と縦枠材４の間隔が前記飾り物の横寸法より少し短めにして固定できる。同時に壁掛け具８を挿んで固定ネジ７で締め付けておく。壁掛け具８の下部は、壁に掲げるときに、持ち手部分として利用する。
【００１２】
縦枠材２と縦枠材４の挿入部分２ー２と４−２の上部は開放とするが、下部は前記飾り物の落下止めとして２−１と４−１の部分は塞いでおく。
【００１３】
材質等は、軽量且つ堅固な材質等が望ましい。
【産業上の利用可能性】
【００１４】
一般家庭はもとより、展示場での利用に於いても新しい感覚で、絵や写真等の飾り物を鑑賞することができる。
【符号の説明】
【００１５】
１    絵や写真等の飾り物
２    縦枠材
２-１落下止め
２-２挿入部分
３    縦枠材２の横部材
４    縦枠材
４-１落下止め
４-２挿入部分
５  縦枠材４の横部材
６  固定枠
７  固定ネジ
８  壁掛け具
【図１】
0003186732.tif 000003
【図２】
0003186732.tif 000004
【図３】
0003186732.tif 000005
【図４】
0003186732.tif 000006
【図５】
0003186732.tif 000007
【手続補正書】
【提出日】平成25年8月15日(2013.8.15)
【手続補正１】
【補正対象書類名】実用新案登録請求の範囲
【補正対象項目名】全文
【補正方法】変更
【補正の内容】
【実用新案登録請求の範囲】
【請求項１】
絵や写真等の飾り物の左右の側端を挿入する部分を有した左右一対の縦枠材と、該縦枠材にそれぞれ取り付けられた横部材と、該横部材同士を重ねた状態で、左右の縦枠材間の寸法を調整可能に固定する固定枠と、前記固定枠に取り付けられ、下部を持ち手部分として利用されるとともにフック穴を最上部に有する壁掛け具と、を備えることを特徴とする額縁。
(57)【要約】      （修正有）【課題】工作が容易で、熱効率が向上し、燻焼する工芸品等が早く、万遍なく焼け、肉食、植物等他の燻焼が達成できる燻焼炉を提供する。【解決手段】内筒３と外筒４とを設けしかも内、外筒のすき間を二重にし、すき間に螺旋状の火道８を設け、しかも排気ダクト６を炉体の上部に２ヶ所以上配設したため熱効率が良く、早く、しかもむら焼け、まだら焼け等の諸問題を解決することが出来た。【選択図】図１
0003186740.tif 000002
【実用新案登録請求の範囲】
【請求項１】
外筒と内筒からなる燃焼室の下部焚口より上部の外気に連通する前記外筒と内筒のすき間で構成される煙道とからなり、前記内筒内は外気を遮断する燻焼炉において、前記煙道のすき間に、螺旋板を巻着したことを特徴とする燻焼炉。
【請求項２】
上記内筒の外周に、上記螺旋板を巻着したことを特徴とする請求項１に記載の燻焼炉。
【考案の詳細な説明】
【技術分野】
【０００１】  本考案は、燻焼炉に関する、植物および工芸品（多種）、竹酢、木酢、竹炭、肉食加工等を蒸焼とする燻焼炉に関する。【０００２】  従来、この種の燻焼炉は、燻焼に長時間を要し、かつ、手間が掛かっていた。しかも燻焼する工芸品等が万遍なく焼くことが出来なかった。
【先行技術文献】
【特許文献】
【０００３】
【特許文献１】  特開２００２−３０１７０５号公報
【０００４】
【考案が解決しようとする課題】
【０００５】  従来の燻焼炉は、構造上、熱効率が悪く、着火から燻焼する工芸品等が完成迄に、時間が掛かりすぎ、燻焼する工芸品等は、まだらにむら焼けしたり、しかも不完全に燻焼されていたため、熱効率の良い燻焼炉の提供が切望されていた。
【課題を解決するための手段】
【０００６】  上記の問題を解決するために、本考案は外筒と内筒からなる燃焼室の下部焚口より上部の外気に連通する前記外筒と内筒のすき間で構成される煙道とからなり、前記内筒内は外気を遮断する燻焼炉において、前記煙道のすき間に、螺旋板を巻着したことを特徴とする燻焼炉で、特に、内筒の外周に螺旋板を巻着することにより、内筒の外周に、螺旋板を巻着することが容易となり、かつ、螺旋板から内筒への伝導性が向上して、内筒内の品物を完全に蒸し、燻焼するため煙道部に螺旋板を巻着して、燃焼ガスを煙道内に滞留させることにより熱効率が向上し、燻焼する工芸品等が早く、しかも、万遍なく焼け、ほぼ完全に役目を果たすことが出来た。
【考案の効果】
【０００７】  本考案に係る燻焼炉は、工作が容易で、熱効率が向上し、燻焼する工芸品等が早く、し  かも、万遍なく焼け、肉食、植物等他の燻焼が完全に達成できた。
【図面の簡単な説明】
【０００８】
【図１】  本考案に係る一実施例を示す外筒を縦に切欠いた正面図である。
【図２】  図１を上部より見た平面図である。
【考案を実施するための形態】
【０００９】  以下、本考案に係る実施の形態を図面に基づき説明する。
【実施例】  図１は本考案に係る一実施例を示し、外筒４と内筒２からなる燃焼室１の下部焚口１２より上部の外気に連通する外筒４と内筒２のすき間で構成される煙道８とからなり、内筒２内は外気を遮断する燻焼炉において、記煙道８のすき間に、螺旋板３を巻着した燻焼炉で、螺旋板３を燻焼炉１の上部迄煙道８（火道）を設けたため、熱効率が良く完全燻焼ができた。本実施例では、４巻の螺旋板３を内筒２の外周に巻着したが、必要に応じて、螺旋板３の巻き数を、増減してもよい。焼却火力を調整する切り替えダンパー７を設けて、火力の調整ができるようにした。符号９は燻焼内部がス放出口を、符号１０はロストル（火受）、符号１１は燃焼室、符号１２は焚口、符号１３は燻焼液出口を示している。【００１０】  図２は、上記実施形態の図１を上部から見た平面図で、燻焼品等を投入する投入蓋５および排気ダクト６を表している。
【産業上の利用可能性】
【００１１】  本考案は蒸し燻焼炉として、食肉、植物（松、竹、梅外）、竹酢、木酢、竹炭、観賞用工芸品の加工等に使用することが出来る。
【符号の説明】
【００１２】  １．  燻焼炉
２．  内筒
３．  螺旋板
４．  外筒
５．  投入蓋
６．  排気ダクト
７．  火力調整ダンパー
８．  煙道（火道）
９．  燻焼内部がス放出口
１０．ロストル（火受）
１１．燃焼室
１２．焚口
１３．燻焼液出口
【図１】
0003186740.tif 000003
【図２】
0003186740.tif 000004
(57)【要約】      （修正有）【課題】濡れた折りたたみ傘を畳む時、手や着衣を濡らすことがない折りたたみ傘専用スタンドを提供する。【解決手段】有底で円筒状の樹脂材で出来た本体容器の側壁面の一部に、小さく折り畳まれたときの折りたたみ傘の直径より少し広めの幅で、上縁から底より数センチ残したところまで垂直に切り欠き、折りたたみ傘を本体容器の側面から収納する受け口２を設ける。濡れた折りたたみ傘を閉じて傘の骨部分が折りたたまれ、傘布部分が半開きの状態で、本体の受け口に傘布部を軽くおし当てると、受け口の両脇が人間の掌のように、傘布部を包み込む形になり、そのまま傘の柄をゆっくり回転させながら傘布部を本体の中に巻き込んでいくと、傘布部に手を当てなくても、きれいに巻きまとめられて本体の中に収納される。【選択図】図２
0003186739.tif 000002
【実用新案登録請求の範囲】
【請求項１】
有底で円筒状の樹脂材でできた本体容器の側壁面の一部に、小さく折り畳まれた時の折りたたみ傘の直径より少し広めの幅で、上縁から底より数センチ残したところまで垂直に切り欠き、折りたたみ傘を本体容器の側面から収納する受け口を設けることを特徴とする、折りたたみ傘専用スタンド。
【考案の詳細な説明】
【技術分野】
【０００１】  本考案は、折りたたみ傘専用スタンドに関するものである。
【背景技術】
【０００２】  従来、折りたたみ傘を立てかける場合は、直接手で傘の布部分を畳まないと、傘が開いた状態になって座りが悪く、だらしない姿になり傘収納具に収まりきれないことがあった。
しかも折りたたみ傘専用スタンドというものはなく、通常の傘入れや傘たてを使い、その中に収めていた。
【考案の概要】
【考案が解決しようとする課題】
【０００３】  濡れた折りたたみ傘を手で畳む時、手や着衣が濡れて不快な思いをすることがある。
畳まないで傘置きに入れようとすると、傘布が開いた状態になって座りが悪く、だらしない姿になり傘収納具に収まりまりきれないことがある。
特に自動車に乗車した際の折りたたみ傘の扱いは面倒で、上記のごとく濡れたり、だらしなく倒れかけたりで不愉快な思いをさせられた。
本考案は、以上の問題点を解決するためになされたものである。
【課題を解決するための手段】
【０００４】  有底で円筒状の樹脂材でできた本体容器の側壁面の一部に、小さく折り畳まれた時の折りたたみ傘の直径より少し広めの幅で、上縁から底より数センチ残したところまで垂直に切り欠き、折りたたみ傘を本体容器の側面から収納する受け口を設ける。
以上を特徴とする折りたたみ傘用傘スタンドである。
【考案の効果】
【０００５】  濡れた折りたたみ傘を閉じて傘の骨部分が折りたたまれ、傘布部分が半開きの状態で、本体の受け口に傘布部を軽くおし当てると、受け口の両脇が人間の掌のように、傘布部を包み込む形になり、そのまま傘の柄をゆっくり回転させながら傘布部を本体の中に巻き込んでいくと、傘布部に手を当てなくても、きれいに巻きまとめられて本体の中に収納される。
そのため手を濡らすこともなく、飛び散る滴で服を濡らす心配もない。
【図面の簡単な説明】
【０００６】
【図１】  本考案の側面図
【図２】  本考案の使用例を示す正面図
【考案を実施するための形態】
【０００７】  以下、本考案の実施の形態を説明する。
有底で円筒状の樹脂材でできた本体（１）の側壁面の一部に、小さく折り畳まれた時の折りたたみ傘（３）の直径より少し広めの幅で、上縁から底より数センチ残したところまで垂直に切り欠き、折りたたみ傘（３）を本体（１）の側面から収納する受け口（２）を設ける。
本考案は、以上のような構成であり、これを実際に使用する時は、濡れた折りたたみ傘（３）を閉じて傘の骨部分が折りたたまれ、傘布部が半開きの状態で傘の柄は伸ばしたまま、本体（１）の受け口（２）に傘布部（４）を軽く押し当てると、受け口（２）の両脇が人間の掌のように傘布部（４）を包み込む形になり、そのまま傘の柄をゆっくり回転させながら傘布部（４）を本体（１）の中に巻き込んでいくと、傘布部（４）に手をあてがわなくても本体（１）の中にきれいに巻きまとめられて収納される。
【符号の説明】
【０００８】  １  本体  ２  受け口  ３  傘の柄  ４  傘布部
【図１】
0003186739.tif 000003
【図２】
0003186739.tif 000004
(57)【要約】      （修正有）【課題】ハンドピースへの電源供給を遮断可能であって、ハンドピース用スタンドを備えたハンドピースコントローラーを提供する。【解決手段】コントローラー上部にくぼみを設け、ハンドピーススタンドとし、くぼみの中にボタン式電源スイッチを取り付ける。これにより作業中、コントローラー上にハンドピースを置くだけで、自動的に電源が切れ、作業を再開したいときはハンドピースを持ち上げれば自動的に電源が入る。【選択図】図１
0003186871.tif 000002
【実用新案登録請求の範囲】
【請求項１】
ハンドピーススタンドを備えたハンドピースコントローラーに於いて、上記ハンドピーススタンドに自動電源停止スイッチを有することを特徴とするハンドピースコントローラー。
【請求項２】
ハンドピースを前記ハンドピーススタンド上に置いたとき、前記自動電源停止スイッチが押下げられ、電源がＯＦＦになり、ハンドピースをスタンドから取り上げたとき、前記自動電源停止スイッチが元の状態に戻り、電源がＯＮになることを特徴とする請求項１に記載のハンドピースコントローラー。
【考案の詳細な説明】
【考案の詳細な説明】
【技術分野】
【０００１】本考案は、スタンド並びに自動電源停止スイッチを有するハンドピースコントローラーに関する。
【背景技術】
【０００２】従来のハンドピースコントローラーでは、ハンドピースの電源をＯＮ、ＯＦＦするとき、コントローラーに組み込まれている電源スイッチを手動で切り替えなければならない。また、コントローラーにはハンドピーススタンドとしての機能がないのが一般的である。
【考案の概要】
【考案が解決しようとする課題】
【０００３】現在市販されているハンドピースは、動作を停止または起動させるためには、本体、電源アダプターまたはコントローラーに付いている電源スイッチを手動で操作する必要がある。ハンドピースの使用は、ほとんどの場合、長時間の連続作業ではなく、何度も中断しながらの作業となるため、その都度、電源のＯＮ、ＯＦＦを繰り返さなければならず、作業効率が悪い。また、電源をつけたまま、あるいは電源を切り忘れたままハンドピースを机の上などに置いておくと、周りの物を巻き込んだりして大変危険である。ハンドピーススタンドがあれば事故の危険は少なくなるが、通常、ハンドピーススタンドはコントローラーとは別に用意する必要があり、場所の確保並びにコストがかかる。
【課題を解決するための手段】
【０００４】コントローラー上部にくぼみを設け、ハンドピーススタンドとし、くぼみの中に自動電源停止マイクロスイッチを取り付ける。これにより作業中、コントローラー上にハンドピースを置くだけで、自動的に電源が切れる。その後、作業を再開する場合はハンドピースを取り上げるだけで自動的に電源が入るため、主電源のＯＮ、ＯＦＦをすることなく、作業を効率よく進めることができる。また、改めてハンドピース用のスタンドを用意する必要がないので、作業するための場所を広く使える。
【考案の効果】
【０００５】本考案で、ハンドピースコントローラーに、主電源とは別に自動電源停止スイッチを取り付けたことにより、今までのように作業中断、再開時に電源スイッチを手動で操作する必要がなくなり、作業効率が上がる。また、コントローラー本体にハンドピーススタンドを備えたことにより、別にハンドピーススタンドを用意する必要がなくなり、作業するための場所を広く使え、安全に作業ができる。
【図面の簡単な説明】
【０００６】
【図１】ハンドピースコントローラーの実物写真である。
【図２】自動電源停止スイッチを取り付ける前のハンドピーススタンド部分の写真である。
【図３】自動電源停止スイッチの実物写真である。
【図４】自動電源停止スイッチ、常時閉路形マイクロスイッチの説明図である。
【図５】コントローラー内部から見た押しボタン式自動電源停止スイッチの実物写真である。
【図６】押しボタン式自動電源停止スイッチと内部回路の説明図である。
【図７】ハンドピースコントローラー上にハンドピースを置いた実物写真である。
【考案を実施するための形態】
【実施例】
【０００７】以下本考案に係わる押しボタン式自動電源停止スイッチについて説明する。図１に示すように、コントローラー上部にくぼみを設け、図２に示すように、くぼみの内側に５ｍｍ〜１０ｍｍの穴をあけ、図３の常時閉路形マイクロスイッチのボタン部分を、図２の穴から出るようにコントローラー内部に取り付ける。これにより窪み部分に置かれたハンドピースの重さによりスイッチが押下げられ、電源スイッチがＯＦＦになる。また、ハンドピースを取り上げれば自動的に電源停止スイッチボタンが元に戻り、電源がＯＮになる。【０００８】以下本考案に係わるハンドピーススタンドについて説明する。図１に示すように、コントローラー上部に半円状のくぼみを設け、窪み内に滑り止めを取り付ける。これによりハンドピースを置いたとき簡単に転がらず、安全性の向上に繋がる。
【図１】
0003186871.tif 000003
【図２】
0003186871.tif 000004
【図３】
0003186871.tif 000005
【図４】
0003186871.tif 000006
【図５】
0003186871.tif 000007
【図６】
0003186871.tif 000008
【図７】
0003186871.tif 000009
(57)【要約】      （修正有）【課題】暑さによるペットへの負担を、首を冷やすことにより軽減をすることができるペットの首用保冷具を提供する。【解決手段】布製よりなるペットの首用保冷具であり、ドーナツ状の本体１の内側面に有する複数個のポケット２ａ，２ｂに保冷剤３を入れることができる。本体１の外側面と複数個のポケット２ａ，２ｂの間に、断熱効果のある保冷シート５を備え、保冷剤３の冷気が外面に漏れることを極力軽減し、内側方向へ効果的に伝わることで、ペットの装着部分の保冷効果を高めるとともに、長時間の保冷維持の効果を高める。【選択図】図１
0003186872.tif 000002
【実用新案登録請求の範囲】
【請求項１】
布からなるドーナツ状の本体内側面に複数のポケットを有し、そこに保冷剤を出し入れできることを特徴とするペットの首用保冷具。
【請求項２】
本体内側面と複数のポケットの間に、断熱効果のある保冷シートを備え、保冷剤の冷気が外則面に漏れることを極力軽減することによって、長時間の保冷効果を維持することを特徴とする請求項１記載のペットの首用保冷具。
【考案の詳細な説明】
【技術分野】
【０００１】
本考案は布製からなるペットの首用保冷具に関する。
【背景技術】
【０００２】
ペットの首部分に装着する暑さ対策用品であるペットの首用保冷具は、従来よりあった。
【考案の概要】
【考案が解決しようとする課題】
【０００３】
しかしながら、製品が布でできているため、保冷剤を入れても、冷気が外に漏れてしまい、長時間の使用が困難であるという欠点があった。
【課題を解決するための手段】
【０００４】
本考案は布で出来た本体内部に、断熱効果のある保冷シートを取り付けることにより、保冷剤の冷気を極力外に漏れることを防ぐことによって、上記課題を解決するものである。
【考案の効果】
【０００５】
本考案に係わるペットの首用保冷具は、軽量で断熱効果のある保冷シートを本体内部に取り付けることにより、形状の複雑化や、重量の増加をすることなく、長時間の保冷効果維持に優れたものである。
【図面の簡単な説明】
【０００６】
【図１】本考案に係わるペットの首用保冷具の外見図（ａ）と、構造を示した展開図（ｂ）である。
【図２】実施例の使用状態を示した図である。
【考案を実施するための形態】
【０００７】
布製でできたドーナツ状の本体（１）があり、その内側面に複数個のポケット（２）を有する。
【０００８】
ポケット（２）は保冷剤（３）を入れる袋部分（２ａ）、保冷剤（３）を落ちないようにする返し部分（２ｂ）からなる。
【０００９】
ポケット（２）に保冷剤（３）を入れることができる。
【００１０】
本体（１）内部に取り付けられた断熱効果のある保冷シート（５）が、冷気の漏れを極力軽減することで、保冷維持の効果を高める。
【００１１】
ペット（６）に装着した際、断熱効果のある保冷シート（５）が本体（１）の外側面への冷気漏れを遮断し、保冷剤（３）の冷気が、内側面のペット（６）側に効果的に伝わることで、保冷効果を高める。
【００１２】
ペット（６）への装着方法として、ゴム（４）の伸縮性を使ったものだけでなく、ボタン及びフック、面ファスナーを使用することもできる。
【実施例１】
【００１３】
本体内側面の表面に断熱効果のある保冷シート（５）を備え、その保冷シートの上に、保冷剤を出し入れでき、収容する複数のポケット（２）を配置する。
これにより、保冷剤（３）が持つ冷却効果を、断熱効果のある保冷シート（５）が、本体（１）から外への冷気漏れを極力軽減するため、布のみで出来たものと比べて、より長い時間の冷却効果を維持することができる。
【００１４】
ゴム（４）がペット（６）のサイズに合わせて伸縮することでフィットし、本体（１）がペット（６）に密着することで保冷効果を高める。
【００１５】
ポケット（２）を有するため、保冷剤（３）を本体（１）から、容易に出し入れすることができる。
【符号の説明】
【００１６】
（１）本体
（１ａ）上部ゴム穴部分
（１ｂ）下部ゴム穴部分
（２）ポケット
（２ａ）袋部分
（２ｂ）返し部分
（３）保冷剤
（４）ゴム
（５）保冷シート
（６）ペット
【図１】
0003186872.tif 000003
【図２】
0003186872.tif 000004
【手続補正書】
【提出日】平成25年8月26日(2013.8.26)
【手続補正１】
【補正対象書類名】実用新案登録請求の範囲
【補正対象項目名】請求項２
【補正方法】変更
【補正の内容】
【請求項２】
本体外側面と複数のポケットの間に、断熱効果のある保冷シートを備え、保冷剤の冷気が外側面に漏れることを極力軽減することによって、長時間の保冷効果を維持することを特徴とする請求項１記載のペットの首用保冷具。
(57)【要約】      （修正有）【課題】書棚等に多数収納したクリアファイルの、外観による検索抽出を迅速に行う事が可能な、カラーインデックスクリアファイルを提供する。【解決手段】３辺の縁辺の部分２、３，４を帯状に着色し、インデックス（見出し）を所定の位置に正確に貼付できるよう目印となる部分５，５ａを設けた。【選択図】図１
0003186834.tif 000002
【実用新案登録請求の範囲】
【請求項１】
透明又は半透明な表裏二枚のシートで形成されており、クリアファイルにおいて、縁辺（３辺）を帯状に着色したことを特徴とするクリアファイル。
【請求項２】
前記述ファイルにおいて、帯状着色部分に、インデックス（見出し）を所定の位置に貼付できるよう目印（前記述の着色より薄い着色）を設けたことを特徴とするクリアファイル。
【請求項３】
前記述ファイルにおいて、従来からのファイルと構造的な違いはなく、製造コストも低く抑えることができることを、特徴としたクリアファイル。
【考案の詳細な説明】
【技術分野】
【０００１】  本考案は、書類などを収納するクリアファイルに関する。
【背景技術】
【０００２】  従来のクリアファイルは、透明又は半透明な表裏二枚のシートで形成されており、書類、パンフレット等を簡易にまとめておく場合に極めて便利なことや、価格が安価なことから、事務用品として広く普及している。（非特許文献１参照）【０００３】  このようなクリアファイルは、その使用目的から内容物の確認や整理のために、インデックス（見出し）やカラークリアファイルで分類されることが望ましい。（非特許文献２参照）
【先行技術文献】
【非特許文献】
【０００４】
【非特許文献１】「アスクルカタログ２０１３春・夏号」ｐ２６
【非特許文献２】「アスクルカタログ２０１３春・夏号」ｐ２７及びｐ２９
【考案の概要】
【考案が解決しようとする課題】
【０００５】  従来のからの、書類、パンフレット等収納に利用されている、薄いシート構造のクリアファイルには背表紙がないため、書棚等に多数収納した場合、検索抽出に時間がかかり、作業効率が落ちる事が多い。【０００６】  また、同じく従来のカラークリアファイルは、挟み込んだ書類等の内容が判別しにくい場合がある。
【課題を解決するための手段】
【０００７】  本考案においては、３辺の縁辺の部分（図面の２から４、８から１０）を帯状に鮮明な同一色で着色した。【０００８】  更に、インデックス（見出し）を所定の位置に貼付できるよう着色部分に目印を設けた。【０００９】  書棚等に、本考案のクリアファイルで同一色だけを収納すると、従来と同じように、検索抽出に時間がかかるため、多色の本考案クリアファイルを準備する。
【考案の効果】
【０００１０】  書棚等に、多色の本考案クリアファイルや、従来のクリアファイルを一緒に多数収納した場合、縁辺の帯状の色の違いにより、検索が容易である。【０００１１】  本考案のクリアファイルは、縁辺の帯状部分の着色以外は、透明又は半透明なので、従来のとおり、挟み込んだ書類の確認が容易である。【０００１２】  更に、所定の位置に張付られたインデックス（見出し）によって抽出も容易となる。【０００１３】  また、従来からのファイルと構造的に違いはなく、製造コストも低く抑えることができる。【０００１４】  以上の記述により、本考案のクリアファイルでは、外観からの検索及び抽出の時間が短縮され、作業効率の向上が期待できる。
【図面の簡単な説明】
【０００１５】
【図１】「本考案のカラーインデックスクリアファイルを示す正面図である。」
【図２】「本考案のカラーインデックスクリアファイルを示す裏面図である。」
【図３】「本考案のカラーインデックスクリアファイルを示す斜視図である。」
【考案を実施するための形態】
【０００１６】  図１において、本実施形態に係るクリアファイルは、１枚のシートが中央の折辺で山折りされ、重ねられて底縁６において圧着された構造となっている。
【０００１７】  縁辺の、２、３、４（図１参照）、８、９、１０（図２参照）の帯状部分には鮮明な着色が施されている。
【０００１８】  なお、帯状部分の着色の中の５と５ａを代表例で説明すると、その部分については、前記述の着色と同一色であるが、５は５ａより薄い着色となっており、インデックス（見出し）貼付けの際の目印となっている。
【０００１９】  前記述以外の部分は、透明又は半透明となっている。
【符号の説明】
【０００２０】１                      クリアファイル表面シート
２から４、８から１０    帯状着色部分
５                      帯状着色部分で５ａより薄い着色部分
５ａ                    帯状着色部分で５より濃い着色部分
６、１１                底辺圧着部分
７                      クリアファイル裏面シート
【図１】
0003186834.tif 000003
【図２】
0003186834.tif 000004
【図３】
0003186834.tif 000005
【手続補正書】
【提出日】平成25年8月8日(2013.8.8)
【手続補正１】
【補正対象書類名】実用新案登録請求の範囲
【補正対象項目名】全文
【補正方法】変更
【補正の内容】
【実用新案登録請求の範囲】
【請求項１】
透明又は半透明な表裏二枚のシートで形成されたクリアファイルにおいて、４辺のうち３辺の縁辺部分を帯状に着色したことを特徴とするクリアファイル。
【請求項２】
請求項１に記載のクリアファイルにおいて、帯状に着色した３辺の縁辺部分に、インデックスを所定の位置に貼付できるよう前記帯状の着色より薄く着色して目印を設けたことを特徴とするクリアファイル。
(57)【要約】      （修正有）【課題】刃物による犯罪防止に当り身体に可能な限り傷害を阻止することができる防犯ベストを提供する。【解決手段】素材の厚さ１０ｍｍ〜１２ｍｍとし、テッシュペーパーを１０枚とじとし、５段重ね、タオル３枚をテッシュペーパーの下部に重ね、防水用として市販の薄いビニールで包装する。防犯ベストを着衣することにより、刃物による身体への傷害を未然に防ぎ生命を守ることができる。防犯ベストは、刃物を突いても、切ろうとしても、不可能のように作られている。【選択図】図１
0003186833.tif 000002
【実用新案登録請求の範囲】
【請求項１】
本案の素材による制作されたベスト等により刃物特に先のとがった包丁、ナイフによる身体に及ぼす被害を最少限度に防ぎ防犯に役立てるものである。
【考案の詳細な説明】
【技術分野】
【０００１】本考案は、刃物特に包丁、ナイフによる差される又は切られることを防ぎ身体を守るベストに関するものである
【背景技術】
【０００２】近年、テレビ、新聞等で周知のとおり、鋭利な包丁、ナイフ等の刃物による犯罪が後を断ない状況である
【考案の概要】
【考案が解決しようとする課題】
【０００３】刃物に対する防備用の着装物は各種考案されていると思われるが、警察官等が着用する、防弾チョキの用に非常に、ものものしく、又重量もあり、高価なものと思われ、一般市民男女、大人、小供が着用することは困難と思われます。従って本考案は、一般市民男女、大人、小供が簡単に着用可能であり、市販のベストと何ら変らず重さも軽く、価格も安く、デザインも好みのものが求められるように制作したもので然も刃物による防備を伴うもので前記の〔背景技術〕０００２を解決するものである
【課題を解決するための手段】
【０００４】本考案による素材制作が最も重要な点であり、各種素材の研究、実験を繰りかえし実施したところ次の組合せにより、刃物いわゆる包丁、ナイフ等先端の鋭利なものを通さない素材を作ることが出現したものである
次に素材の作成方法であるが、次のとおりである。
市販のテッシュペーパー５０枚を上部とし、市販のタオル３枚をテッシュペーパーの下部に重ね防水用として、市販の薄いビニールを包装することで完成となる。
【考案の効果】
【０００５】上記の素材により、利用範囲は多いと考えられるが今回は一応ベストという夕称としたが、例えばパンツ、ジャケット、ジヤンバーなどの制作品も考えられ刃物による被害を防止すことに役立つものと思う。
【図面の簡単な説明】
【０００６】
【図１】本考案によるベストの正面図である。
【図２】本ベストの一部切断面である。
【図１】
0003186833.tif 000003
【図２】
0003186833.tif 000004
【手続補正書】
【提出日】平成25年8月15日(2013.8.15)
【手続補正１】
【補正対象書類名】実用新案登録請求の範囲
【補正対象項目名】全文
【補正方法】変更
【補正の内容】
【実用新案登録請求の範囲】
【請求項１】
素材の厚さ１０ｍｍ〜１２ｍｍとし、作成方法の特徴としては、テッシュペーパーを１０枚とじとし、５段重ね、タオル３枚をテッシュペーパーの下部に重ね、防水用として市販の薄いビニールで包装するしたことを特徴とする、防犯ベストである。
(57)【要約】      （修正有）【課題】ダムや貯水池等の水源又は放流河川等がない場所でも、水力エネルギーを活用できる発電装置を提供する。【解決手段】電動ポンプ６が回ると発生する吸引力と吐出力の両方に、発電機能が付いた水車５，７を設け、生じた電気をポンプ駆動用電動機へ回帰導入する。外部電源を失っても電動ポンプは吸引力と吐出力を作り水車を廻し発電する。【選択図】図１
0003186838.tif 000002
【実用新案登録請求の範囲】
【請求項１】
一方の口から吸い込み別の口から吐き出す、電動ポンプの吐出流通路管側と吸引流通路側に発電機が付いた水車を設けて廻し、エンドレス発電の取得目的権に係る一切の装置。
【考案の詳細な説明】
【技術分野】
【０００１】  この考案は、水力を含む液体エネルギー新活用電動ポンプエンドレス発電装置です。
【背景分野】
【０００２】  従来、水力発電の起電エネルギーは、広大なダム又は池等に貯めた水が高所から低所へ流れ落る際に生ずる落下力で発電機付きの水車を廻して、生れた電気を取得してきたが、放流元から海まで長距離間の河川管理義務等に係る諸問題や広大な所要面積の取得・送電鉄塔建設・環境に係る問題などがあって、水力発電事業への参入は困難な状態であった。
【考案の開示】
【考案が解決しようとする課題】
【０００３】  この考案は、発電機付き水車駆動用の水力を電動ポンプで作ることにより、ダムや貯水池等の水源又は放流河川等がない場所でも、不滅で安価な水力エネルギーを活用した発電事業へ参入できるよう開発した電動ポンプエンドレス発電装置です。
【課題を解決するための手段】
【０００４】  電気で回る電動ポンプの吸水側と吐出側のそれぞれに設けた複数の発電機付き水車を廻し、生じた電気をポンプ駆動用電動機の電源として導入することにより、絶え間なく継続的に発電し続けるエンドレス発電装置です。
【考案の効果】
【０００５】  １、ポンプ発電は、発電機を回し終わった水の放流０・燃料及び燃焼皆無・燃費０の効果。  ２、環境汚染に係るＣＯ２や核排出０のため人畜無害等が、目視現認できる開示効果。  ３、ダムや水源・落差不用のため、何処でも容易に発電所が開設できる効果の発揮。  ４、不滅で安価な水力エネルギー活用発電事業に参入のチャンス増大効果。  ５、建物内管理が容易であるため目配り・気配りが行き届くこと及び長持ち等の効果発揮。  ６、コストパフォマンスが高いため、安定経営が出来る効果の発揮。  ７、計画的に作り、機械的に管理運営できる安定発電効果の発揮等の特長。
【考案を実施するための最良の形態】
【０００６】  ・ダム発電・火力発電・原子力発電等が起こした従来の電気と同じ物象の品質であること。  ・ポンプ発電に用いた発電機は、ダム発電・火力発電・原子力発電等と同機種使用の形態。  ・風・雨や昼・夜及びエネルギー源の枯渇に係りなく２４時間安定発電する室内管理方式。  ・ダム・長い勾配＋落差＋広大な土地＋送電鉄塔等が不要の建物内収容安全管理可能の形態。  ・不滅で安価な水をポンプで発電機を回すエネルギーに変えて電気を起こす発電形態。
【図面の簡単な説明】
【０００７】
【図１】本考案の平面図。
【符号の説明】
【０００８】  １、備蓄槽。                            １０、集配電処理ボックス。  ２、大気と液面の境界線。                １１、買取電力計（カウンター）。  ３、吐出液流路管。                      １２、買取側へ送電ケーブル。  ４、吐出液横へ流通路。                  １３、電動機へ導入ケーブル。  ５、発電機付き水車。  ６、電動ポンプ。  ７、発電機付き水車。  ８、吸引液流通路。  ９−９’通電ケーブル。
【図１】
0003186838.tif 000003
【手続補正書】
【提出日】平成25年8月12日(2013.8.12)
【手続補正１】
【補正対象書類名】実用新案登録請求の範囲
【補正対象項目名】全文
【補正方法】変更
【補正の内容】
【実用新案登録請求の範囲】
【請求項１】
本案は、電動ポンプが回ると発生する吸引力と吐出力の両方に、発電機能が付いた水車を設けて廻し、生じた電気をポンプ駆動用電動機へ回帰導入することによって、外部電源を失っても電動ポンプは止ることなく吸引力と吐出力を作り続けて水車を廻し、継続的に発電することができる１連の構造と仕組みで構成する、エンドレス発電装置である。